(57)【特許請求の範囲】
【請求項１】
少なくとも３枚の透明または半透明の合成樹脂製のシートを重ねて構成し、かつ、これらのシートの下辺部が一体的に接合され、更に、最外部のシートは、接合された前記シート下辺部に隣接している２つの辺のうちの１つの辺が互いに接合されているペーパーホルダーであって、最外部の２枚のシートの間に挟まれている仕切り用のシートは、その上辺部の２つの隅部のうち、最外部のシートのみが接合されている接合部に対向している隅部に面取り部を備えていることを特徴とするペーパーホルダー。
【請求項２】
最外部の２枚のシートの間に挟まれている仕切り用のシートは、最外部の２枚のシートのみが接合されている接合部との間に、隙間を有している請求項１記載のペーパーホルダー。
【請求項３】
最奥面のシート以外のシートの上端角部（右肩部）に、それぞれの切り欠き長さを前層より順次短くした切り欠き部を設けることにより、最前面以外の各シートの見出し部を該切り欠き部に露出させるようにした請求項１または２記載のペーパーホルダー。
【請求項４】
最前面のシートに名刺の隅を差し込むための切り込み部を有している請求項１、２または３記載のペーパーホルダー。
【発明の詳細な説明】
【０００１】
【発明の属する技術分野】
本発明は、透明または半透明の合成樹脂製のシ−トで構成されているホルダ−本体内に、同じく透明または半透明の合成樹脂製のシ−トで構成されている１枚以上の仕切り板を備えているペ−パ−ホルダ−に関するものである。
【０００２】
【従来の技術】
従来、透明または半透明の合成樹脂製のシ−トを二つに折り、かつ、その下辺部をシール装置によって接合（シール）させているペ−パ−ホルダ−が知られている。
【０００３】
【発明が解決しようとする課題】
従来のペ−パ−ホルダ−は、書類やカタログなどを保管する事務用具として広く使用されているが、従来のペ−パ−ホルダ−は、透明または半透明の合成樹脂製のシ−トを二つに折り、かつ、その下辺部をシール装置によって接合（シール）させた構造のものであるから、書類やカタログなどを収納する部分が１つ用意されているだけである。
【０００４】
従って、例えば、関係書類が、メモ、文書、およびカタログなどの数種類の書類で構成されていたとしても、そのまま、１つのペ−パ−ホルダ−に一括して収容される。
【０００５】
このため、後日、文書のみが必要になった場合には、ペ−パ−ホルダ−から、一旦、全部の関係書類を引き出して、その中から文書を選び出す必要があり、必要な書類のみを素早く取り出すことができなかった。
【０００６】
本発明は、このような問題に鑑みてなされたものであり、その目的とするところは、一つのペ−パ−ホルダ−でありながら、例えば、メモ、文書、およびカタログなどを個別に仕分けして収納し、後日、必要な書類のみを素早く取り出すことができるペ−パ−ホルダ−を提供することにある。
【０００７】
【課題を解決するための手段】
このような目的を達成するため、本発明のペ−パ−ホルダ−は、次のように構成されている。
【０００８】
すなわち、本発明は、少なくとも３枚の透明または半透明の合成樹脂製のシ−トを重ねて構成し、かつ、これらのシートの下辺部が一体的に接合され、更に、最外部のシ−トは、接合された前記シート下辺部に隣接している２つの辺のうちの１つの辺が互いに接合されているペーパーホルダーであって、最外部の２枚のシートの間に挟まれている仕切り用のシートは、上辺部の２つの隅部のうち、最外部のシートのみが接合されている接合部に対向している隅部に面取り部を備えていることを特徴とするペーパーホルダーである。
【０００９】
本発明では、上記ペーパーホルダーにおいて、最外部の２枚のシートの間に挟まれている仕切り用のシートは、最外部のシ−ト同士のみが接合されている接合部との間に隙間を有していることが好ましい。
【００１０】
本発明では、最奥面のシート以外のシートの上端角部（右肩部）に、切り欠き長さがそれぞれ前層より順次短くなるように切り欠き部を設けることにより、最前面以外の各シートの見出し部を該切り欠き部に露出させるようにしてもよい。
【００１１】
さらに、最前面のシートに名刺の隅を差し込むための切り込み部を有していてもよい。
【００１２】
本発明のペーパーホルダーは、複数の透明または半透明の合成樹脂シートで構成される。
【００１３】
シ−トの枚数としては、最外部のシートの２枚と仕切用のシート１枚との合計３枚あれば、一応、目的を達成することができるが、実用性を考えると、３枚以上、例えば、３乃至６枚程度が好ましい。シートの枚数があまり増加すると、シール装置の性能にもよるが、シート同士の接合（シール）が困難になる。
【００１４】
【発明の実施の形態】
以下、本発明の実施の形態を図面を用いて説明する。なお、この実施の形態では、大きいシートを二つに折るとともに折り曲げて出来た下辺部同士を互いにを接合することで、下辺部およびそれに隣接する１つの辺において接合している２枚の最外部シートからなるホルダ−本体を形成し、かつ、該ホルダー本体の中に２枚の仕切り用シート（以下「仕切り板」ということがある）を挟みこみ、それぞれの下辺部をホルダー本体の下辺部と接合してなるペーパーホルダーを例にとる。なお、この例では、折り目は、ホルダー本体の左辺部に位置している。
【００１５】
図１に示すように、このペ−パ−ホルダ−１０は、Ａ４サイズの用紙Ｘを収容するためのペ−パ−ホルダ−であり、主に、透明なホルダー本体１１と、透明な２枚の仕切り板１２，１３とから構成されている。そして、このペ−パ−ホルダ−１０は、その下辺部１４が図示しないシール装置によって一体的に接合またはシールされ、ホルダ−１０内に収容した用紙Ｘが下方に落下しないようになっている。１５は、その接合部分（シール部分）を示している。
【００１６】
このホルダー本体１１は、図示しない一枚のシートを二つに折り曲げて形成したものであるから、ホルダー本体１１の左側にある折り目１６で自ずと接続しており、ホルダ−１０内に収容した用紙Ｘがホルダー本体１１の左端から落下しないようになっている。
【００１７】
また、ホルダー本体１１内に設けられている２枚の仕切り板１２，１３は、ホルダー本体１１より横幅が、若干、狭くなっており、ホルダー本体１１の左端にある折り目１６と、それに対向する仕切り板１２，１３の左端部１７との間に隙間１８が設けられている。
【００１８】
また、上記の仕切り板１２，１３は、上端部（自由端）の左隅に面取り部１９を備えている。
【００１９】
また、このペ−パーホルダ−１０は、ホルダー本体１１の左側にある折り目１６に対向するホルダ−本体１１の右端３３の上部に３つの見出部２０，２１，２２を備えている。そして、ホルダー本体１１の前面のシート１１ａには、３つの見出部２０，２１，２２を露出させるため、第１切欠き部２３が設けられている。また、第１の仕切り板１２には、見出部２０，２１を露出させるため、第２切欠き部２４が設けられている。更に、第２の仕切り板１３には、見出部２０を露出させるため、第３切欠き部２５が設けられている。
【００２０】
因みに、見出部２０は、赤色に着色され、見出部２１は、黄色に着色され、見出部２２は、青色に着色されている。しかし、これらの色に限らず、任意の色に着色することを妨げない。
【００２１】
更に、ホルダー本体１１の前面のシート１１ａには、名刺Ｙの対角線上の隅２６，２７を差し込むための切り込み部２８，２９を備えている。
【００２２】
次に、このペ−パーホルダーの使い方について２つの例を紹介する。
図２は、その１つの例であり、ホルダー本体１１の前面のシート１１ａと第１の仕切り板１２との間の空間３０に第１の用紙（例えば、メモ）Ｘ１を収容し、第１と第２の２つの仕切り板１２および１３の間の空間３１に第２の用紙（例えば、文書）Ｘ２を収容し、第２の仕切り板１２とホルダー本体１１の後面（背面）のシート１１ｂとの間の空間３２に第３の用紙（例えば、カタログ）Ｘ３を収容する。
【００２３】
この例の場合には、例えば、メモ（Ｘ１）、文書（Ｘ２）、或いはカタログ（Ｘ３）のみを素早く取り出すことができる。
【００２４】
図３は、２番目の例であり、２つに折られたカタログＸ４を、第１の仕切り板１２を芯材に見立ててその前後の空間３０，３１に差し込むと共に、同様のカタログＸ５を第２の仕切り板１３を芯材に見立ててその前後の空間３１，３２に差し込んだものである。
【００２５】
この例の場合には、矢印Ａの方向からカタログＸ４の前面（表紙）を見ることができる。また、矢印Ｂの方向からカタログＸ４の内面（見開きのページ）を見ることができる。矢印Ｃの方向からカタログＸ４の背面（カタログＸ４の最終ページ）およびカタログＸ５の前面（表紙）を見ることができる。また、矢印Ｄの方向からカタログＸ５の内面（見開きのページ）を見ることができる。最後に、矢印Ｅの方向からカタログＸ５の背面（カタログＸ５の最終ページ）を見ることができる。
【００２６】
上記のように、本発明によれば、一つのペ−パ−ホルダ−でありながら、例えば、メモ、文書、およびカタログなどを個別に仕分けして収納することができる。また、上記のように、メモ、文書、およびカタログなどを個別に仕分けして収納しているため、後日、必要な書類のみを素早く取り出すことができる。
【００２７】
以上の説明では、図示しないシートを２つに折り曲げて形成したホルダー本体１１を適用した場合について説明したが、ホルダー本体１１としては、例えば、図４に示すように、透明または半透明の２枚のシート４１，５１の背側（シート４１，５１の左辺部）をシール装置によって接合（シール）させたものを適用することができる。５６は、接合部（シール部）を示している。なお、共通する部品には、同じ符号を付けて詳しい説明を省略する。
【００２８】
また、この発明は、図１および図４に示したペ−パ−ホルダー１０のように、ホルダー本体１１の折り目１６、或いはそれに準ずる接合部（シール部）５６がホルダー本体１１の左側（左辺部）にあるものばかりでなく、図５に示すように、ホルダー本体１１の折り目１６、或いはそれに準ずる接合部（シール部）５６がホルダー本体１１の右側（右辺部）にあるものも包含するものである。なお、図５に示すペ−パ−ホルダー１０についても共通する部品には、同じ符号を付けて詳しい説明を省略する。
【００２９】
【発明の効果】
上記のように、本発明のペ−パ−ホルダ−は、少なくとも３枚の透明または半透明の合成樹脂製のシ−トを重ねて構成し、かつ、これらのシートの下辺部が一体的に接合され、更に、最外部のシ−トは、接合された前記シート下辺部に隣接している２つの辺のうちの１つの辺が互いに接合されているので、一つのペ−パ−ホルダ−でありながら、例えば、メモ、文書、およびカタログなどを個別に仕分けして収納することができる。また、上記のように、メモ、文書、およびカタログなどを個別に仕分けして収納しているため、後日、必要な書類のみを素早く取り出すことができる。
【００３０】
また、本発明のペ−パ−ホルダ−は、ホルダ−本体の折り目、或いはこれに準ずる接合部と、これらの部位に対応する仕切り板の端部との間に隙間を有しているので、カタログなど、２つ折りされている文書を、仕切り板を芯材にしてその前後の空間に簡単に差し込むことができる。
【００３１】
また、本発明のペ−パ−ホルダ−は、仕切り板の上辺部の２つの隅部のうち、ホルダ−本体の折り目、或いはこれに準ずる接合部に対向している隅部に面取り部を備えているので、カタログなど、２つ折りされている文書を、上記の隙間に簡単に差し込むことができる。
【００３２】
また、本発明のペ−パ−ホルダ−は、最前面のシート以外のシ−トにそれぞれ見出部を備えているので、必要な書類が収容されている個所を簡単に探すことができる。
【図面の簡単な説明】
【図１】本発明に係るペ−パ−ホルダ−の一部破断部分を含む正面図である。
【図２】本発明に係るペ−パ−ホルダ−の使い方の一例を示す斜視図である。
【図３】本発明に係るペ−パ−ホルダ−の使い方の他の一例を示す斜視図である。
【図４】本発明に係るペ−パ−ホルダ−の第１の応用例の正面図である。
【図５】本発明に係るペ−パ−ホルダ−の第２の応用例の正面図である。
【符号の説明】
１１，１２，１３  透明または半透明の合成樹脂製のシ−ト
１４  シートの下辺部
１６，３３  シート下辺部に隣接している２つの辺
【図１】
0004507051.tif 000002
【図２】
0004507051.tif 000003
【図３】
0004507051.tif 000004
【図４】
0004507051.tif 000005
【図５】
0004507051.tif 000006